(57)【特許請求の範囲】
【請求項１】
木造構造物の仕口部を構成する少なくとも２つの構造材それぞれに取付固定するための２つの固定部を有し、かつ該固定部にこれを該構造材へ取付固定するための固定部材が挿通される取付孔が複数形成された第１の仕口金物及び第２の仕口金物が、いずれか一方の該構造材周りに配置された木造構造物の仕口部構造において、
上記第１及び第２の仕口金物それぞれは、２つの上記固定部のうち、一方の第１固定部には、複数の上記取付孔を、当該第１固定部の幅方向に、一定間隔を隔てる偶数の列に並べると共に、当該第１固定部の長さ方向に、隣り合う列で位置をずらして一定ピッチで並べて、千鳥配置で形成すると共に、他方の第２固定部には、複数の上記取付孔を、上記千鳥配置を幅方向で反転させた反転千鳥配置で形成し、
上記千鳥配置及び上記反転千鳥配置の、一方が他方の空所を埋めて補い合う関係で、上記固定部材を上記構造材に均等に分散配置するために、一方の上記第１の仕口金物は前記第１固定部で、他方の上記第２の仕口金物は前記第２固定部で当該構造材に接合されることを特徴とする木造構造物の仕口部構造。
【請求項２】
前記第１及び第２固定部に形成される前記取付孔の前記千鳥配置及び前記反転千鳥配置は、これら千鳥配置及び反転千鳥配置のいずれか一方が、他方に対して、当該固定部の長さ方向に位置をずらして形成されていることを特徴とする請求項１に記載の木造構造物の仕口部構造。
【請求項３】
前記第１及び第２の仕口金物を、前記構造材を前後方向から挟む配置で接合すると共に、追加の前記仕口金物を、該構造材の左右方向から接合し、
追加の前記仕口金物の前記第１及び第２固定部に形成される取付孔の前記千鳥配置及び前記反転千鳥配置は、上記第１及び第２の仕口金物の取付孔の前記千鳥配置及び前記反転千鳥配置に対して、長さ方向に位置をずらして形成されていることを特徴とする請求項１に記載の木造構造物の仕口部構造。
【発明の詳細な説明】
【技術分野】
【０００１】
本発明は、取付孔の配置を改善して、仕口金物自体を適正な外形寸法に設定することが可能であって、これら取付孔を介して構造材に固定される固定部材の干渉を防止し得ると共に、構造材に容易に割れが発生することを防止し得る木造構造物の仕口部構造に関する。
【背景技術】
【０００２】
木造構造物において、互いに接合される柱と梁や土台との仕口部には、補強を目的として、またブレースを取り付けるための取付部品として、仕口金物が設けられる。仕口金物としては例えば、特許文献１〜３に開示されている。
【０００３】
特許文献１の「筋かい用固定金具」は、柱に釘着する第一固定部片と土台等の横架材に釘着する第二固定部片を互いに直交方向に連設する。各固定部片の長手方向に沿う一端には、各固定部片に対して直交する方向に筋かいを取付ける取付部片を連設して互いに重合させる。また、筋かい止着用の釘などの止着杆を貫通させる透孔を各取付部片に互いに一致させて設けている。
【０００４】
特許文献２の「建築物の耐震補強金物」は、鉄板からなり一角に直角をもつ二等辺三角形状の三角板部を有し、この三角板部の直角を挟む２辺からそれぞれ折り曲げられ且つ角部を溶着により一体に接続した側板部を有し、この側板部の外面にゴム板を設置して形成し、前記各側板部に建物の入隅部に取り付けるラグリューボルト用の複数の透孔及びスクリュウくぎ用の複数の小孔を穿設し、前記三角板部には筋かいを締結するためのボルト用の１個の貫通孔とくぎ用の多数の小孔を一組として穿設してなっている。
【０００５】
特許文献３の「仕口補強用具」は、水平部材と垂直部材を略直角に接合する仕口部に取付ける仕口補強用具を両側の取付部とそれらの取付部を連結する連結部とから構成し、その連結部に設ける変形部を、仕口部の内側の隅部を中心としてほぼ放射状に延びる複数の屈曲線に沿って交互に屈曲して蛇腹状に形成し、かつ各屈曲部の高さが隅部に近い方から外側へ向けて漸増するように構成する。変形部の幅を狭くして外力による変形を変形部に集中させたり、隣接して設置した対をなす仕口補強用具の間からブレースをとるように構成してもよいものである。
【先行技術文献】
【特許文献】
【０００６】
【特許文献１】特開平８−３１９６７１号公報
【特許文献２】特開平９−７８６９４号公報
【特許文献３】特開２０１０−３１６３０号公報
【発明の概要】
【発明が解決しようとする課題】
【０００７】
仕口金物を柱などの構造材にビスや釘等の固定部材で取り付ける場合、仕口金物がその性能を発揮する前に固定部材が構造材から抜け出さないように、固定部材を構造材にしっかりと止着する必要がある。近年、大荷重や大規模な変形を受けても性能を発揮し得る仕口金物のニーズが高まりつつあり、このような仕口金物に使用するビス等の固定部材についても、首下長さが長いものを用いたり、本数を増やすなどの対策が必要である。
【０００８】
仕口金物には、構造材への取り付けのために、固定部材を挿通する取付孔を形成した固定部が設けられていて、固定部材の本数を増やす場合、固定部の取付孔を増設する必要がある。単に直線状に縦に並べて増設すると、固定部が大きくなってしまって、仕口金物も大型化し、不経済なものとなってしまう。従って、取付孔の配置について、改善が望まれる。
【０００９】
他方、木造構造物の木製構造材から見た場合、仕口金物が前後二方向から取付固定される場合、あるいはさらに左右方向からも取り付けられて三方向、さらには四方向から固定される場合があり、構造材内部で固定部材が複雑に錯綜する。錯綜する固定部材同士で干渉が生じると、仕口金物を構造材に適切に取付固定することができなかったり、取付固定することができたとしても、大荷重や大規模変形を受けることで容易に構造材に割れが発生するおそれがあるなどの不具合があり、この面からも、取付孔の配置に対し、改善が望まれる。
【００１０】
本発明は上記従来の課題に鑑みて創案されたものであって、取付孔の配置を改善して、仕口金物自体を適正な外形寸法に設定することが可能であって、これら取付孔を介して構造材に固定される固定部材の干渉を防止し得ると共に、構造材に容易に割れが発生することを防止し得る木造構造物の仕口部構造を提供することを目的とする。
【課題を解決するための手段】
【００１１】
本発明にかかる木造構造物の仕口部構造は、木造構造物の仕口部を構成する少なくとも２つの構造材それぞれに取付固定するための２つの固定部を有し、かつ該固定部にこれを該構造材へ取付固定するための固定部材が挿通される取付孔が複数形成された第１の仕口金物及び第２の仕口金物が、いずれか一方の該構造材周りに配置された木造構造物の仕口部構造において、上記第１及び第２の仕口金物それぞれは、２つの上記固定部のうち、一方の第１固定部には、複数の上記取付孔を、当該第１固定部の幅方向に、一定間隔を隔てる偶数の列に並べると共に、当該第１固定部の長さ方向に、隣り合う列で位置をずらして一定ピッチで並べて、千鳥配置で形成すると共に、他方の第２固定部には、複数の上記取付孔を、上記千鳥配置を幅方向で反転させた反転千鳥配置で形成し、上記千鳥配置及び上記反転千鳥配置の、一方が他方の空所を埋めて補い合う関係で、上記固定部材を上記構造材に均等に分散配置するために、一方の上記第１の仕口金物は前記第１固定部で、他方の上記第２の仕口金物は前記第２固定部で当該構造材に接合されることを特徴とする。
【００１２】
前記第１及び第２固定部に形成される取付孔の前記千鳥配置及び前記反転千鳥配置は、これら千鳥配置及び反転千鳥配置のいずれか一方が、他方に対して、当該固定部の長さ方向に位置をずらして形成されていることを特徴とする。
【００１４】
前記第１及び第２の仕口金物を、前記構造材を前後方向から挟む配置で接合すると共に、追加の前記仕口金物を、該構造材の左右方向から接合し、追加の前記仕口金物の前記第１及び第２固定部に形成される取付孔の前記千鳥配置及び前記反転千鳥配置は、上記第１及び第２の仕口金物の取付孔の前記千鳥配置及び前記反転千鳥配置に対して、長さ方向に位置をずらして形成されていることを特徴とする。
【発明の効果】
【００１５】
本発明にかかる木造構造物の仕口部構造にあっては、取付孔の配置を改善することにより、仕口金物自体を適正な外形寸法に設定することができ、これら取付孔を介して構造材に固定される固定部材の干渉を防止することができると共に、構造材に容易に割れが発生することを防止でき、仕口部の耐力を向上することができる。詳細には、千鳥配置及び反転千鳥配置は、一方が他方の空所を埋めて補い合う関係であって、これら配置に従って取付孔に挿通される固定部材は、構造材に均等に分散配置され、構造材に容易に割れが生じるなど構造材強度を損なうことなく、仕口金物を取付固定することができる。従って、仕口部の耐力を向上できる。また、千鳥配置及び反転千鳥配置により、取付孔をスペース的に効率よく形成することができ、取付孔を増設しても、仕口金物自体を適正な外形寸法に設定することができる。
【図面の簡単な説明】
【００１６】
【図１】本発明にかかる木造構造物の仕口金物の好適な一実施形態を示す斜視図である。
【図２】本発明にかかる木造構造物の仕口部構造に適用される追加の仕口金物を示す斜視図である。
【図３】本発明にかかる木造構造物の仕口部構造の好適な一実施形態を示す概略斜視図である。
【図４】図３の木造構造物の仕口部構造を構成する柱に仕口金物を取付固定した様子を示す平面断面図である。
【図５】図３の木造構造物の仕口部構造の変形例を示す概略斜視図である。
【図６】図５の木造構造物の仕口部構造に追加の仕口金物を適用した変形例を示す概略斜視図である。
【図７】本発明にかかる木造構造物の仕口金物の変形例を示す斜視図である。
【発明を実施するための形態】
【００１７】
以下に、本発明にかかる木造構造物の仕口部構造の好適な実施形態を、添付図面を参照して詳細に説明する。図１には、木製構造材である柱１と梁２や土台等の横架材とを接合して構成した仕口部３が示されている。仕口部３の入隅部４は、互いに面する柱１の一側面と梁２の一側面とによって形成され、これら側面が仕口金物５を柱１及び梁２それぞれに取付固定するための２つの取付面１ａ，２ａとなる。
【００１８】
まず、本実施形態にかかる木造構造物の仕口金物５について説明する。図１に示すように、仕口金物５は板材を加工して形成され、柱１から梁２にわたる大きさの支持板部５ａと、柱１及び梁２の２つの取付面１ａ，２ａそれぞれに面して、支持板部５ａから折り曲げて形成された２つの固定部５ｂ，５ｃとを備える。支持板部５ａは、背景技術で紹介したように、平板状であっても、屈曲板状であってもよい。
【００１９】
固定部５ｂ，５ｃには、仕口金物５を柱１や梁２に取付固定するためのコーチボルトやビス、釘などの固定部材６（図３及び図４参照）を挿通する取付孔７が複数形成される。取付孔７は、穿孔によって形成される。
【００２０】
２つの固定部５ｂ，５ｃのうち、一方の第１固定部５ｂに形成される取付孔７は、当該第１固定部５ｂの短い寸法に設定された幅方向に一定間隔Ｄを隔てて、列をなすように並べて形成される。列は、２列や４列など、偶数列に設定される。また取付孔７は、各列において、第１固定部５ｂの長い寸法に設定された長さ方向に一定ピッチＰで、並べて形成される。さらに、取付孔７は、隣り合う列同士において、互いに位置をずらして並べて形成される。これにより、第１固定部５ｂの複数の取付孔７は、いわゆる千鳥配置で形成される。
【００２１】
隣り合う列同士で取付孔７をずらす量Ｘは、一方の列の１つの取付孔７が、隣接する他方の列の２つの取付孔７間に位置すれば、どのように設定してもよい。ずらす量Ｘは、ピッチＰの半分（１／２・Ｐ）とすれば、取付孔７をバランスよく配置することができ、当該取付孔７に挿通されて柱１や梁２に固定される固定部材６も、バランスよく配置することができる。
【００２２】
２つの固定部５ｂ，５ｃのうち、他方の第２固定部５ｃに形成される複数の取付孔７は、支持板部５ａに鏡を置いて第１固定部５ｂを映し出したときに反転して映る様子から理解されるように、千鳥配置を幅方向で反転させた反転千鳥配置で、第１固定部５ｂとは異なる配列で形成される。
【００２３】
さらに、後述する追加の仕口金物５Ｚは、取付孔７の形成位置が異なる他は、図１に示した仕口金物５と同一構成を備える。図２に示すように、追加の仕口金物５Ｚの第１及び第２固定部５ｄ，５ｅに形成される取付孔７ｚの千鳥配置及び反転千鳥配置は、図１に示している仕口金物５の取付孔７（図２中、仮想線で示す）の千鳥配置及び反転千鳥配置に対し、それら固定部５ｄ，５ｅの長さ方向に位置をずらして形成されている。すなわち、これら固定部５ｄ，５ｅの長さ方向において、千鳥配置及び反転千鳥配置の領域が位置ずれされている。
【００２４】
ずらし量Ｙは、図１の仕口金物５と図２の追加の仕口金物５Ｚの第１固定部５ｂ，５ｄ同士または第２固定部５ｃ，５ｅ同士をそれぞれ重ね合わせたとき、取付孔７，７ｚの位置が一致しないように設定されている。
【００２５】
次に、本実施形態にかかる木造構造物の仕口部構造について説明する。図３及び図４には、仕口部３を構成する木製構造材のいずれか一方、例えば柱１周りに２つの仕口金物５，５を配置する例が示されている。図示例は、支持板部５ａを柱１の幅方向中央に設定して、柱１の前後方向から仕口金物５，５を配置した状態に対応するもので、前方の第１の仕口金物５の取付孔７位置が白抜き四角形で、後方の第２の仕口金物５の取付孔７位置が梨地四角形で示されている。
【００２６】
これら第１及び第２の仕口金物５，５を同一の柱１の前方及び後方から取付固定する場合、第１の仕口金物５は第１固定部５ｂで、第２の仕口金物５は第２固定部５ｃで柱１に接合される。反対に、第１の仕口金物５を第２固定部５ｃで、第２の仕口金物５を第１固定部５ｂで接合するようにしてもよい。要するに、千鳥配置の取付孔７と反転千鳥配置の取付孔７により、これらに挿通される固定部材６によって接合されて、２つの仕口金物５，５が柱１に取り付けられる。
【００２７】
図４は柱１の平断面を示していて、相対的に柱１の高さ方向上方に位置する固定部材６に対し、それよりも下に位置する固定部材６を破断した細い二点鎖線で示していて、上下左右方向に、互いに避けた位置に固定部材６が配置される。
【００２８】
本実施形態にかかる木造構造物の仕口部構造にあっては、千鳥配置と反転千鳥配置の取付孔７によって、複数の固定部材６をこれらが干渉することなく柱１に接合することができる。
【００２９】
また、千鳥配置及び反転千鳥配置は、一方が他方の空所を埋めて補い合う関係であって、これら配置に従って取付孔７から打ち込まれる固定部材６は、柱１内部で均等に分散配置され、柱１に容易に割れが生じるなど柱強度を損なうことなく、仕口金物５を取付固定することができる。従って、仕口部３の耐力を向上できる。
【００３０】
また、千鳥配置及び反転千鳥配置により、取付孔７をスペース的に効率よく形成することができ、取付孔７を増設しても、仕口金物５自体を適正な外形寸法に設定することができる。
【００３１】
図５には、上記実施形態の変形例が示されている。図５では、柱１周りに３つの仕口金物５を配置する例を示している（柱１後方の仕口金物は図示省略）。図示例は、支持板部５ａを柱１の幅方向中央に設定して、柱１の前後方向から２つ、柱１の右方から一つの仕口金物５を配置した状態に対応するもので、前方の第１の仕口金物５の取付孔７位置が白抜き四角形で、右方の第２の仕口金物５の取付孔７位置が梨地四角形で示されている。
【００３２】
これら第１及び第２の仕口金物５，５を同一の柱１の前方や後方及び右方から取付固定する場合、図５中、破線で示した支持板部５ａの向きから理解されるように、第１の仕口金物５は第１固定部５ｂで、第２の仕口金物５は第２固定部５ｃで柱１に接合される。反対に、第１の仕口金物５を第２固定部５ｃで、第２の仕口金物５を第１固定部５ｂで接合するようにしてもよい。この例にあっても、千鳥配置の取付孔７と反転千鳥配置の取付孔７により、これらに挿通される固定部材６によって接合されて、仕口金物５が３方から柱１に取り付けられる。
【００３３】
図５に示した例では特に、柱１の前面の取付面１ａと右側面の取付面１ａとにおける取付孔７の配置が、柱１の端縁１ｂを挟んで粗密を繰り返す（図中、３つ→２つ→３つ→２つ）ものとなる。第１及び第２の仕口金物５，５を同じ固定部（例えば第１固定部５ｂ，５ｂ）で接合すると、柱１の端縁１ｂで密になり、端縁１ｂから離れた位置で疎になるというアンバランスを生じてしまうが、図示したように、異なる固定部５ｂ，５ｃで接合することによりこのようなアンバランスを生じることがなく、固定部材６も取付孔７の配置に従って柱１内部で均等に分散配置され、柱強度を損なうことなく、仕口金物５を取り付けることができる。
【００３４】
図５にあっても、上記図３及び図４で説明した例と同様の作用効果を奏することはもちろんである。
【００３５】
図５では、仕口金物５を３方向から取り付ける場合を例にとって説明したが、前後方向いずれか一方及び左右方向いずれか一方の２方向や、前後左右４方向から取り付けることで仕口部構造を構成してもよいことはもちろんである。
【００３６】
図６には、上記実施形態の他の変形例として、特に、上述した追加の仕口金物５Ｚを用いる場合が示されている。図６では、図５と同様に、柱１周りに３つの仕口金物５，５Ｚを配置する例を示している（柱１後方の仕口金物は図示省略）。
【００３７】
図示例は、支持板部５ａを柱１の幅方向中央に設定して、柱１の前後方向から２つの仕口金物（第１及び第２の仕口金物）５を、柱１の右方から一つの追加の仕口金物５Ｚを配置した状態に対応するもので、前方の仕口金物５の取付孔７位置が白抜き四角形で、右方の追加の仕口金物５Ｚの取付孔７ｚ位置が梨地四角形で示されている。
【００３８】
これら前方の仕口金物５及び追加の仕口金物５Ｚを同一の柱１の前方及び右方から取付固定する場合も、前方の仕口金物５は第１固定部５ｂ（千鳥配置）で、追加の仕口金物５Ｚは第２固定部５ｅ（反転千鳥配置）で柱１に接合される。反対に、前方の仕口金物５を第２固定部５ｃ（反転千鳥配置）で、追加の仕口金物５Ｚを第１固定部５ｄ（千鳥配置）で接合するようにしてもよい。この例にあっても、千鳥配置の取付孔７と反転千鳥配置の取付孔７ｚもしくは反対配置の取付孔７，７ｚにより、これらに挿通される固定部材６によって接合されて、仕口金物５，５Ｚが３方から柱１に取り付けられる。
【００３９】
右方の追加の仕口金物５Ｚは、前方および後方の仕口金物５に対し、ずらし量Ｙをもって千鳥配置及び反転千鳥配置がずらされているので、さらに固定部材６同士の干渉を防止して、仕口金物５，５Ｚを柱１に接合することができる。特に、首下長さが長い固定部材６を用いる必要があって、柱１内部での干渉を避け得ない場合に、追加の仕口金物５Ｚを用いることで、適切に仕口部構造を構成することができる。
【００４０】
また、前後方向の２つの仕口金物５の千鳥配置と反転千鳥配置の関係において、スペース的にまだ余地があり、追加の仕口金物５Ｚの位置ずれされた千鳥配置もしくは反転千鳥配置の取付孔７ｚは、この余地を埋める関係にあり、これら配置に従って取付孔７，７ｚから打ち込まれる固定部材６は、柱１内部でさらに密に均等に分散配置され、柱１に容易に割れが生じるなど柱強度を損なうことなく、仕口金物５，５Ｚを取付固定することができる。
【００４１】
追加の仕口金物５Ｚにあっても、千鳥配置及び反転千鳥配置により、取付孔７ｚをスペース的に効率よく形成することができ、取付孔７ｚを増設しても、当該追加の仕口金物５Ｚ自体を適正な外形寸法に設定することができる。
【００４２】
図６では、仕口金物５及び追加の仕口金物５Ｚを３方向から取り付ける場合を例にとって説明したが、前後方向いずれか一方の仕口金物５及び左右方向いずれか一方の追加の仕口金物５Ｚによる２方向からの取り付けや、前後方向２つの仕口金物５及び左右方向２つの追加の仕口金物５Ｚによる４方向からの取り付けによって仕口部構造を構成してもよいことはもちろんである。
【００４３】
図７には、上記実施形態にかかる木造構造物の仕口金物５の変形例が示されている。図１に示した仕口金物５に対し、図２に示した追加の仕口金物５Ｚでは、第１及び第２固定部５ｄ，５ｅ双方で千鳥配置及び反転千鳥配置の領域を位置ずれさせているが、図７に示した仕口金物５Ｐのように、いずれか一方の固定部（図示例にあっては、第１固定部５ｆ）でのみ、位置ずれさせるようにしてもよい。すなわち、この変形例では、第１及び第２固定部５ｆ，５ｇに形成される取付孔７，７ｚの千鳥配置及び反転千鳥配置に関し、これら千鳥配置及び反転千鳥配置のいずれか一方が、他方に対して、固定部５ｆの長さ方向に位置をずらして形成されている。このような仕口金物５Ｐを形成することで、構造材への取付のバリエーションを増やすことができ、さらに、取付孔７，７ｚを介して構造材に固定される固定部材６の干渉を防止できると共に、構造材に容易に割れが発生することを防止することができる。
【符号の説明】
【００４４】
１  柱
２  梁（横架材）
３  仕口部
５  仕口金物
５Ｚ  追加の仕口金物
５ｂ〜５ｅ  第１及び第２固定部
７  仕口金物の取付孔
７ｚ  追加の仕口金物の取付孔
【図１】
0005698520.tif 000002
【図２】
0005698520.tif 000003
【図３】
0005698520.tif 000004
【図４】
0005698520.tif 000005
【図５】
0005698520.tif 000006
【図６】
0005698520.tif 000007
【図７】
0005698520.tif 000008